(57)【要約】【課題】  従来品と同等若しくはそれ以上のコネクタ機能を保有していて、嵩低く薄形に形成することを可能とした電線接続用のコネクタを提案すること。【解決手段】  少なくとも２本の通電線Ｋどうしを個別に挿入する少なくとも２個の電線挿入孔１０を備えた絶縁樹脂製の平板形のコネクタハウジング１と、該ハウジング１の内部に形成された空間ａ内に配置された金属板製の通電板２と、該通電板２に、互いに非干渉状態に配置された２体の電線押圧バネ３とからなり、該電線押圧バネ３のそれぞれが電線挿入孔１０から挿入された通電線Ｋに対して３カ所で接触し、通電板２への押圧作用と抜け止め作用とを行う構造としたもの。【選択図】図２
2010061840.tif 000002
【特許請求の範囲】
【請求項１】
少なくとも２本の通電線(K)どうしを個別に挿入する少なくとも２個の電線挿入孔(10)を備えた絶縁樹脂製の平板形のコネクタハウジング(1)と、
該ハウジング(1)の内部に形成された空間(a)内に配置された金属板製の通電板(2)と、
該通電板(2)に、互いに非干渉状態に配置された２体の電線押圧バネ(3)とからなり、
該電線押圧バネ(3)のそれぞれが電線挿入孔(10)から挿入された通電線(K)に対して３カ所で接触し、通電板(2)への押圧作用と抜け止め作用とを行う構造としてある
電線接続用薄型コネクタ。
【請求項２】
通電板(2)が、銅板・黄銅板・アルミ板その他適宜の良導体金属素材に金属メッキを施した板状体で、横幅(b)方向の両側に電線受け止め面(21)を備え、電線押圧バネ(3)が該電線受け止め面(21)に対して通電線(K)を３カ所で押圧する構造としてある請求項１に記載の電線接続用薄型コネクタ。
【請求項３】
電線押圧バネ(3)が、連続した一枚の板バネを屈曲させて、通電線(K)に対し３カ所で接触して押圧作用をするものであって、この接触箇所のうち、１カ所または２カ所で電線の抜け止め作用をもさせる構造としてある請求項１または２に記載の電線接続用薄型コネクタ。
【発明の詳細な説明】
【技術分野】
【０００１】
本発明は、主として、家屋やビル等の建築構造物内において使用するのに適した薄型の電線接続用コネクタに関するものである。より詳しくは、一般家庭のフロアに敷設されるヒーターパネルの配線接続や、オフィスのフロアに敷設される電子機器類への配線接続時に電線どうしの接続を行うのに際して、可及的に嵩低く床面の上下に配置することができる薄型の電線接続用コネクタに関するものである。
【背景技術】
【０００２】
このようなフロア面に沿って配置する電線接続用コネクタとしては、例えば、特開平９−５５２３９号公報（特許文献１）に見られるように、直方体状に形成された樹脂ケースの一端側と他端側とに位置をずらせて、２対の通電線と１対のアース線とを挿入するための３対の電線挿入孔が形成され、その内部に形成されている３つの空間内に、前記電線挿入孔から挿入された電線どうしを電気的に接続させるための金属金具が収容され、それぞれの金属金具には、ケースの一端側の電線挿入孔からと他端側の電線挿入孔から挿入された１対宛の電線を金属金具に対して押圧するための２体の電線押圧バネを取り付けてある構造とした電線接続用のコネクタが公知になっている。
【０００３】
また、芯線が細い複数線からなる被覆リード線どうしを接続するための電線接続用コネクタとしては、例えば、実開平１−１５５２６３号明細書（非特許文献１）に見られるように、平面視でほぼ直方体状に形成した樹脂ケースの一端側に、線の先端部にリード線端子を接続した２本のリード線を挿入するための２つの電線挿入孔を隣り合わせに形成し、その内部空間内に、電線挿入孔から挿入した電線どうしを電気的に接続させるための金属金具を収容し、この金属金具に、２つの電線挿入孔からそれぞれ挿入したリード線を個別に押圧するための２体の電線押圧バネ＝接続端子を背中合わせに配置した電線接続用のコネクタも既に公知になっている。
【０００４】
これらの電線接続用コネクタは、何れもケースの内部に形成された空間内に金属金具の平板面を沿わせて配置し、また、この金属金具の平板面に沿うように電線押圧バネを配置し、電線挿入孔から挿入した電線を水平方向に向かって押圧させる構造とすることによって、樹脂ケースの厚みを小さくする構造となっている。
【特許文献１】特開平９−５５２３９号公報
【非特許文献１】実開平１−１５５２６３号明細書
【発明の開示】
【発明が解決しようとする課題】
【０００５】
しかしながら、これらの先行技術のものは、何れのものも、ケース内に挿入された電線に接触して、これを金属金具の受圧面に対して押圧する電線押圧バネの素材幅が、ケースの厚みを配慮する必要のない嵩高形状のコネクタや、若しくはブロック体形状のコネクタに、旧来から長く使用されている広幅の電線押圧バネと同様に、広幅のバネ素材を使用して形成された幅の広い電線押圧バネを使用したものである。
【０００６】
そのため、ケース全体の厚さを図示のもの以上に薄くすることは困難な構造となっており、また、そのような必要性や思想を示唆する記載も存在していない。このことは、製品の性質上、挿入電線に対して、所定の押圧作用と抜け止め作用とを確実に付与することができるものでなければならないという必要性が求められていることに起因するものと思われる。
【０００７】
然るに、他方では、前記のように、フロア等の上面に嵩低く設置でき、またはフロア等の下面の小さな空間内に確実に設置することができる、可能な限り薄くて嵩の低い構造としたコネクタの潜在的な要求も存在するものと想定される。
【０００８】
そこで、本発明者らは、この点に着目し、機能の低下を来すことなく、ＪＩＳ規格に規定された許容範囲以上の発熱を生じることなく、かつ、旧来品と同等若しくはそれ以上のコネクタ機能を保有していて、可能な限り薄型とした電線接続用コネクタを開発することができるに至ったので、ここにその構造を提案するものである。
【課題を解決するための手段】
【０００９】
この課題を解決するために講じた本発明にいうところの電線接続用薄型コネクタの構成を実施例を説明するために示した図面に使用の符号を用いて説明すると、請求項１に記載の構成は、少なくとも２本の通電線Ｋどうしを個別に挿入する少なくとも２個の電線挿入孔１０を備えた絶縁樹脂製の平板形のコネクタハウジング１と、該ハウジング１の内部に形成された空間ａ内に配置された金属板製の通電板２と、該通電板２に、互いに非干渉状態に配置された２体の電線押圧バネ３とからなり、該電線押圧バネ３のそれぞれが電線挿入孔１０から挿入された通電線Ｋに対して３カ所で接触し、通電板２への押圧作用と抜け止め作用とを行う構造としたことである。
【００１０】
また、請求項２に記載の構成は、請求項１に記載の通電板２が、銅板・黄銅板・アルミ板その他適宜の良導体金属素材に金属メッキを施した板状体で、横幅ｂ方向の両側に電線受け止め面２１を備え、電線押圧バネ３が該電線受け止め面２１に対して通電線Ｋを３カ所で押圧する構造としてあることである。
【００１１】
更に、請求項３に記載の構成は、請求項１または２に記載の電線押圧バネ３が、連続した一枚の板バネを屈曲させて、通電線Ｋに対し３カ所で接触して押圧作用をするものであって、この接触箇所のうち、１カ所または２カ所で電線の抜け止め作用をもさせる構造としてあることである。
【発明の効果】
【００１２】
このような構造とした前記請求項１に記載の電線接続用薄型コネクタは、電線挿入孔からコネクタハウジング内に挿入された通電線を通電板に対して押圧する電線押圧バネの構造を、通電線に対して３カ所で接触して押圧作用とこれらの接触箇所のうち１カ所か２カ所で電線の抜け止め作用とを行わせるようにしたものであるから、電線押圧バネの素材幅、即ち、電線押圧バネの幅ｗによる通電線への押圧作用と抜け止め作用とを充分に大きくすることができ、同電線押圧バネの幅ｗを、所定の加圧力を具有する範囲内において、電線挿入時の過大な抵抗圧を生じさせることなく、可及的に小幅のものとすることができるという顕著な利点を有する。よって、この小幅化した電線押圧バネの縮小幅分だけ、少なくともハウジング全体の厚さを薄型のものとすることができ、フロア等の上下に最低厚さの状態で装着したり、載置させて使用することができるという効果を有するものとすることができる。
【００１３】
請求項２に記載のコネクタは、通電板を、銅板・黄銅板・アルミ板その他適宜の良導体金属素材に金属メッキを施して通電性能を向上させた板状体で形成してあることによって、通電性能の良好な状態で、横幅ｂ方向の両側に形成した電線受け止め面に通電線を３カ所で押圧させて受け止めさせることができ、この電線受け止め面の高さも電線押圧バネの幅と同様に最低の高さに形成させておくことができ、この点でも、ハウジング全体の厚さを薄型のものとすることができるという効果を備えさせることができる。
【００１４】
請求項３に記載のコネクタは、電線押圧バネを、連続した一枚の板バネを屈曲させたものとし、通電線に対し３カ所で接触させて押圧作用をするものとし、この接触箇所のうち、１カ所または２カ所で電線の抜け止め作用をもさせる構造としてあるので、従来公知の２点接触バネ構造のように、バネ厚を薄くすると電線に対する押圧力が低下して通電時に発熱を生じ易くなったり、バネ厚を厚くすると電線に対する押圧力は増大できるが電線挿入時の抵抗が増大し、電線の挿入が困難なものとなるという課題を生じることなく、電線挿入時のバネ抵抗が無用に増大することなく、電線の挿入が容易なものでありながら、挿入した電線を通電板に対して確実に平均的に押圧させることができ、安定した通電性能を発揮させることができるという効果を発揮させることができるものである。
【発明を実施するための最良の形態】
【００１５】
本発明を実施するに当たっては、通電板２の横幅ｂ方向の両側に立設した電線受け止め面２１の、横幅ｂと直交する側面視形状を断面円弧状としておくと、断面円形の単線電線や、電線の先端部に連結した金属端子Ｔの通電部ｔが断面円形や円弧状のものと、接触し易く受け止め易い点で好ましい。
【００１６】
また、コネクタハウジング１の形成に当たっては、ハウジング１の一端側と他端側とに電線挿入孔１０を対向配置してある構造としてもよく、ハウジング１の一端面に互いに隣接した状態で２つの電線挿入孔１０を形成してある構造として実施してもよい。また、前者の場合は、ハウジング１内に通電板２を１組のみ内装したもののみならず、複数組内装し、組数に対応する電線挿入孔１０をそれぞれの端面に形成して複数電線接続用のものとして実施することができ、後者の場合も、通電板２を横方向に複数組内装させて複数線通電用のものとしたり、電線挿入孔１０を形成してない端面を基準として軸対称形に形成して２組の電線通電用としたり、水平面上において３個を三角形や凸字形に、４個を＋字形に、またはそれ以上を周方向に配置して複数線通電用として実施することもできる。
【００１７】
電線押圧バネ３の構造としては、後記図１０に纏めて示したように、平面視形状において、電線挿入側から内奥側に向かって傾斜させ、電線と接触する先端部に電線への食い込みエッジを形成した刃体状接触部と、電線との接触面を弧状に形成して電線への押圧作用を専らに行わせる電線押圧部との何れかを２カ所備えている構造とし、これらの３カ所で
電線に接触して押圧する構造として実施することができる。
【００１８】
本発明にいうコネクタは、使用する電線が単線のものでも、複数の細線の集合線でもよい。単線の場合は、コネクタに直接挿入して使用することができるが、この単線の場合を含めて、殊に、複数細線の集合線の場合には、断面丸形・角形・平板形等に形成した通電部ｔを有する金属端子Ｔを先端に連結して、通電部ｔが電線押圧バネ３と接触するようにして使用するのが好ましい。
【実施例】
【００１９】
以下本発明の実施例について図示例と共に説明する。図１乃至図９は本発明の第１実施例のコネクタを示す図であって、図１は全体の外形を示す斜視図、図２はハウジング本体と蓋体とを分離した斜視図、図３は内部金具の分解斜視図、図４は内部金具の組み立て斜視図、図５はハウジングの正面図、図６はハウジングの右側面図、図７はハウジングの蓋体を除去した平面図、図８は図７におけるＡ−Ａ線に沿った断面図、図９は図７におけるＢ−Ｂ線に沿った断面図である。
【００２０】
該実施例に示したコネクタは、図１，２，７等に見られるように、平面視横長長方形状に形成したハウジング本体１Ａと蓋体１Ｂとからなる平板形に形成したハウジング１を備えていて、例えば、ポリカーボネート樹脂のような絶縁性に優れ、耐熱性をも備えた合成樹脂素材によって成形したもので、その内部にコンタクト用の金属体を内装させてある電線接続用のコネクタである。
【００２１】
該ハウジング１は、図１，２及び５に見られるように、ハウジング本体１Ａの長手方向に沿った両側面に突出させた係止突起１２と、蓋体１Ｂの対応側面から垂下させた係合穴１１とを係合させて一体化する構造としてある。このハウジング１は、殊に、図２，７に顕著に見られるように、長手方向の一端側と他端側との対角線箇所に、ハウジング１内に向かって開口するそれぞれ１個づつの電線挿入孔１０，１０を対向形成してある構造としたものである。
【００２２】
このハウジング１内には、同ハウジング１の外形に沿った横長長方形状とした金具装着用の空間ａを形成してあり、この空間ａ内に、平面視形状を同空間ａの平面形状と同形状に形成した金属板製の通電板２を内装させてある。
【００２３】
この通電板２は、例えば、銅板に錫メッキを施して通電性能を向上させた横長長方形の金属板を使用し、図７に示した上下方向の幅ｂ（全体説明では、電線押圧バネ３の幅ｗと区別するため横幅ｂと表現している）の両側縁部分を、図９に見られるように、上方に向かって立ち上げて立ち上げ壁２１，２１を形成し、その断面形状を円弧状に曲げ形成し、単線の電線を直接使用する場合や、この単線や、多条細線集合線の先端部に連結した端子Ｔにおける円形断面とした通電部ｔとの接触度を向上させるようにしてある。
【００２４】
この通電板２には、図７について詳述すると、左右方向に離して互いが干渉し合わないように２体の電線押圧バネ３を、左右方向と上下方向とにおいて対称形となる姿勢で配置させてある。これらの電線押圧バネ３は、連続した一枚の板バネを屈曲させて形成したものであって、それぞれの電線挿入孔１０，１０に近い入り口側バネ部分３１が、電線との接触姿勢において、電線挿入孔１０側から内奥側に向かって傾斜するように形成され、続く、その内奥側の中間バネ部分３２が、曲線状に曲げられて電線に対して弧状部分で接触し、更に、その内奥側の奥側バネ部分３３が、入り口側バネ部分３１と同じ傾斜方向に傾斜するように形成してある。なお、該図７における符号１３は、素材の軽減化のための空洞部を示す。
【００２５】
このようにした電線押圧バネ３は、電線挿入孔１０から挿入された通電線Ｋに対して、入り口側バネ部分３１と、中間バネ部分３２と、奥側バネ部分３３との３カ所で接触して通電線Ｋを通電板２の前記立ち上げ壁２１に向けて押圧する。これらのうち、中間バネ部分３２は、主として通電線Ｋを通電板２に押圧する作用をし、他の入り口側バネ部分３１と奥側バネ部分３３とは、通電線Ｋの通電板２への押圧作用と同時に２カ所で抜け止め作用を行う構造としたものである。
【００２６】
このように、電線押圧バネ３は、連続した一枚の板バネを特殊な形状に屈曲させて形成したもので、電線挿入孔１０から挿入された通電線Ｋに対して３カ所で接触し、通電板２の立ち上げ壁２１に向けて押圧作用をするとともに、前後２カ所で電線の抜け止め作用を行うものであるので、幅ｗの狭い素材を使用することが可能となり、電線挿入孔１０からの通電線Ｋの挿入が抵抗少なく容易にできるものでありながら、通電板２への充分な押圧作用と電線の確実な抜け止め作用とを果たさせることができるのである。
【００２７】
このような構造とした本実施例に示した電線接続用の薄型コネクタは特定寸法のものに限定されるものではないが、参考までに概寸を記載しておくと次の通りである。ハウジング１の長さ方向寸法＝４６ｍｍ、幅方向寸法＝１６ｍｍ、厚さ＝４．６ｍｍ、通電板２の長さ方向寸法＝３４ｍｍ、幅方向寸法＝８．２ｍｍ、厚さ＝０．４ｍｍ、電線押圧バネ３の幅ｗ＝１．８ｍｍ、厚さ＝０．３ｍｍである。
【００２８】
図１０は、連続した一枚の板バネを屈曲させて形成した電線押圧バネ３についての他の実施例構造の平面形状を示したものである。同図の（ａ）及び（ｂ）は、前記第１実施例の電線押圧バネ３と同様に、通電線Ｋに対して２カ所で抜け止め作用をさせ１カ所で押圧作用のみをさせる構造としたもので、（ａ）のものは、抜け止め作用を入り口側バネ部分３１と中間バネ部分３２とで行わせ、（ｂ）のものは、中間バネ部分３２と奥側バネ部分３３とで行わせるようにしたものである。また、（ｃ）乃至（ｆ）は、通電線Ｋに対して１カ所で抜け止め作用をさせ２カ所で押圧作用のみをさせる構造とした事例を示したもので、これらのうち（ｃ）と（ｄ）は、抜け止め作用を入り口側バネ部分３１のみでさせるようにし、中間バネ部分３２と奥側バネ部分３３とで押圧作用のみをさせる構造としたものであり、（ｅ）のものは、中間バネ部分３２のみで、（ｆ）のものは、奥側バネ部分３３のみで抜け止め作用を行わせるようにしたものである。
【００２９】
図１１は、第２実施例のコネクタを示す前記図７相当部分の平面図、図１２は、第３実施例のコネクタを示す前記図７相当部分の平面図である。図１１に示した第２実施例のコネクタは、前記第１実施例に示したコネクタにおける通電板２を、ハウジング内に２体並列内装させてあるものとし、コネクタ一個で２回線の電線接続を行うようにしたものである。
【００３０】
また、図１２に示した第３実施例のコネクタは、前記第１実施例に示したコネクタにおける通電板２を、ハウジング内に３体並列内装させてあるものとし、このコネクタ一個で３回線の電線接続か、２回線の電線接続と１回線のアース線接続を行うことができるようにしたものである。
【００３１】
図１３は、第４実施例のコネクタを示す開蓋状態を示す平面図であって、該実施例のコネクタは、平面視形状を略正方形状に形成したハウジング１の一端面に、図において右側の端面に隣り合わせの状態で、２つの電線挿入孔１０を形成してある構造とし、その内部空間ａ内に、前記第１実施例において示したのと同様構造とした２本の電線押圧バネ３を背中合わせ状に、所謂図において上下対称形に装着した１体の通電板２を内装してある構造としたものである。
【００３２】
また、該実施例に示した通電線Ｋは、複数の細線を集合した通電線であって、コネクタハウジング１に直接挿入することなく、挿入前に、複数細線ｋの先端部に断面丸形とした通電部ｔを有する金属端子Ｔを連結して、通電部ｔを残して樹脂カバーｃで絶縁被覆し、通電部ｔが電線押圧バネ３と接触するようにハウジング１内に挿入して使用するようにしたものである。その他は、前記第１実施例に準じた構造である。
【００３３】
なお、具体的な図例は省略するが、この実施例のコネクタの場合も、前記第２実施例や第３実施例の場合のように、通電板２を横方向に２体または３体並列内装させて、２回線または３回線の通電用コネクタとして実施することができる。また、図１３のコネクタを
左右方向に反転させて、図における左側端面を基準として軸対称形に反転した形の２回線通電用として実施することもでき、水平面上において３個を三角形や凸字形に配置させて３回線用としたり、４個を＋字形に配置して４回線用としたり、それ以上の個数を周方向に配置させて多数回線用として実施してもよい。
【００３４】
以上本発明の代表的と思われる実施例について説明したが、本発明にいう電線接続用薄形コネクタは、これらの実施例構造のみに限定されるものではなく、本発明にいう前記の構成要件を備え、かつ本発明にいう目的を達成し、効果を有する範囲内において適宜改変して実施することができるものである。
【産業上の利用可能性】
【００３５】
本発明にいう電線接続用薄形コネクタは、従来のコネクタに比し薄形で嵩張らないので各種建造物等の床面の上下に沿わせて配置することができるので、使用者にとって便利に使用され、大いに活用されるものと思われる。
【図面の簡単な説明】
【００３６】
【図１】第１実施例のコネクタの外形を示す斜視図。
【図２】ハウジング本体と蓋体とを分離した斜視図。
【図３】内部金具の分解斜視図。
【図４】内部金具の組み立て斜視図。
【図５】ハウジングの正面図。
【図６】ハウジングの右側面図。
【図７】ハウジングの蓋体を除去した平面図。
【図８】図７におけるＡ−Ａ線に沿った断面図。
【図９】図７におけるＢ−Ｂ線に沿った断面図。
【図１０】電線押圧バネの他の構造を示す平面図。
【図１１】第２実施例のコネクタを示す開蓋状態の平面図。
【図１２】第３実施例のコネクタを示す開蓋状態の平面図。
【図１３】第４実施例のコネクタを示す開蓋状態の平面図。
【符号の説明】
【００３７】
１  ハウジング
１０  電線挿入孔
１１  係合穴
１２  係止突起
１Ａ  ハウジング本体
１Ｂ  蓋体
２  通電板
２１  電線受け止め面
３  電線押圧バネ
３１  入り口側バネ部分
３２  中間バネ部分
３３  奥側バネ部分
ａ  空間
ｂ  横幅
Ｋ  通電線
【図１】
2010061840.tif 000003
【図２】
2010061840.tif 000004
【図３】
2010061840.tif 000005
【図４】
2010061840.tif 000006
【図５】
2010061840.tif 000007
【図６】
2010061840.tif 000008
【図７】
2010061840.tif 000009
【図８】
2010061840.tif 000010
【図９】
2010061840.tif 000011
【図１０】
2010061840.tif 000012
【図１１】
2010061840.tif 000013
【図１２】
2010061840.tif 000014
【図１３】
2010061840.tif 000015